(57)【要約】【課題】ショックジター及び転写不良の両方を抑えつつ、回転カムの長寿命化を図る。【解決手段】記録シートの先端を２次転写位置に進入させる前の進入前タイミングで、回転カム５０を回転させて２次転写ローラ３０を付勢コイルバネ４５の付勢力に抗して強制移動させる強制移動処理、及び、記録シートの先端を２次転写転写位置に進入させた進入直後タイミングで、回転カム５０を回転させて、転写圧を増大させる増圧処理を実施する構成において、強制移動処理として、回転カム５０を正回転駆動によって回転させる第１強制移動処理と、回転カム５０を逆回転駆動によって回転させる第２強制移動処理とを、所定のタイミングで切り替えて実施するようにした。【選択図】図６
2010204259.tif 000002
【特許請求の範囲】
【請求項１】
可視像を担持する像担持体と、
自らと該像担持体とが対向する転写位置で該像担持体に当接して転写ニップを形成することが可能な当接体と、
該転写位置に進入した記録シートに該像担持体上の可視像を転写する転写手段と、
該像担持体及び当接体のうち、何れか一方を他方に向けて付勢して当接せしめる付勢手段と、
回転可能に配設され、所定の回転角度位置にて、自らの周縁に設けられた凸部を、該一方、あるいは該一方に連動する連動体、に設けられた被突き当て部に突き当てることで、該一方を該付勢手段の付勢力に抗して該他方から遠ざける方向に強制移動させる強制移動動作を行うことが可能であり、且つ、他の回転角度位置にて、該凸部よりも小さな半径の軌道で回転する小径部を該被突き当て部に突き当てて該一方の強制移動量をより小さくするか、あるいは該小径部を該被突き当て体に非接触で対向させて該一方の強制移動を解除するかして、該転写位置での記録シートに対する転写圧を増大させる増圧動作を行うことが可能な回転カムと、
少なくとも、記録シートの先端を該転写位置に進入させる前のタイミングである進入前タイミングで、該回転カムを該所定の回転角度位置まで回転させて該一方を強制移動させる強制移動処理、及び、該記録シートの先端を該転写位置に進入させた直後のタイミングである進入直後タイミングで、該回転カムを該他の回転角度位置まで回転させて、該転写圧を増大させる増圧処理を実施する制御手段と、を備える画像形成装置であって、
上記制御手段が、上記強制移動処理として、上記回転カムを正回転駆動によって上記所定の回転角度位置まで回転させる第１強制移動処理と、該回転カムを逆回転駆動によって該所定の回転角度位置まで回転させる第２強制移動処理とを、所定のタイミングで切り替えて実施するもの、であることを特徴とする画像形成装置。
【請求項２】
請求項１の画像形成装置であって、
上記回転カムが、上記小径部として、上記凸部に対して該回転カムの正回転方向の上流側で隣り合う上流側小径部と、下流側で隣り合う下流側小径部とを有するものであり、
且つ、上記制御手段が、上記第１強制移動処理として、該回転カムの該上流側小径部を上記被突き当て部に対して突き当てるか、あるいは非接触で対向させるかした状態である第１状態から、該回転カムの正回転駆動により、該回転カムの該凸部を該被突き当て部に突き当てた状態である第２状態に変化させる処理を実施する一方で、上記第２強制移動処理として、該回転カムの該下流側小径部を上記被突き当て部に対して突き当てるか、あるいは非接触で対向させるかした状態である第３状態から、該回転カムの逆回転駆動により、該第２状態に変化させる処理を実施するもの、であることを特徴とする画像形成装置。
【請求項３】
請求項２の画像形成装置であって、
上記制御手段が、上記進入前タイミングに加えて、記録シートの後端を上記転写位置から排出する直前のタイミングである排出直前タイミングでも、上記強制移動処理を実施するもの、であることを特徴とする画像形成装置。
【請求項４】
請求項２又は３の画像形成装置であって、
上記制御手段が、上記増圧処理として、上記第２状態から、該回転カムの正回転駆動によって上記第３状態に変化させる第１増圧処理と、上記第２状態から、該回転カムの逆回転駆動によって上記第１状態に変化させる第２増圧処理とを、所定のタイミングで切り替えて実施するもの、であることを特徴とする画像形成装置。
【請求項５】
請求項４の画像形成装置であって、
上記制御手段が、上記第１増圧処理の次に実施する上記強制移動処理として、上記第２強制移動処理を実施する一方で、上記第２増圧処理の次に実施する上記強制移動処理として、上記第１強制移動処理を実施するもの、であることを特徴とする画像形成装置。
【請求項６】
請求項１乃至５の何れかの画像形成装置において、
上記回転カムの上記凸部として、回転方向の中央を境にして線対称の形状のものを設けたことを特徴とする画像形成装置。
【請求項７】
請求項１乃至６の何れかの画像形成装置であって、
上記転写位置に送られる前の記録シートの厚み情報を取得する厚み情報取得手段を備えるとともに、
互いに軌道の半径が異なる複数の上記凸部を上記回転カムに具備し、
且つ、上記制御手段が、厚み情報取得手段による検知結果に応じて、複数の該凸部の中から、上記強制移動処理で上記被突き当て部に突き当てるものを選択する処理を実施するもの、であることを特徴とする画像形成装置。
【請求項８】
請求項１乃至７の何れかの画像形成装置であって、
上記回転カムについて、上記所定の回転角度位置になったことを検知する所定角度位置検知手段を備えるとともに、
上記制御手段が、上記強制移動処理にて、該所定回転角度位置検知手段による検知結果に基づいて上記回転カムの回転駆動を停止させるもの、であることを特徴とする画像形成装置。
【請求項９】
請求項１乃至８の何れかの画像形成装置であって、
上記回転カムの回転駆動源として、ステッピングモータを備えることを特徴とする画像形成装置。
【発明の詳細な説明】
【技術分野】
【０００１】
本発明は、付勢手段の付勢力によって像担持体に当接して転写ニップを形成することが可能な当接体を、回転カムの駆動により、像担持体から遠ざける方向に強制移動させる機能を備える画像形成装置に関するものである。
【背景技術】
【０００２】
この種の画像形成装置において、記録シートとして厚紙を用いる場合には、ショックジターと呼ばれる線状の濃度ムラを引き起こすことがあった。この濃度ムラは、厚紙が転写ニップに進入する際に、像担持体に対する負荷を急激に高めて、像担持体の線速を瞬間的に大きく低下させることによって生ずるものである。
【０００３】
そこで、特許文献１に記載の画像形成装置は、次のようにしてショックジターの発生を抑えるようになっている。即ち、この画像形成装置において、当接体としての転写ローラは、円柱状のローラ部と、これと一体となって回転するようにローラ部の両端面からそれぞれ突出する軸部材とを具備している。それぞれの軸部材には、回転カムが空転可能に設けられている。そして、それら回転カムには、それぞれ回転カムを軸部材の周面上で空転させるためのモータが直結されている。モータによって軸部材の周面上で空転せしめられる回転カムは、所定の回転角度位置において凸部を像担持体としての感光体における軸線方向の端部に突き当てる。この突き当てにより、バネによって感光体に向けて付勢されている転写ローラを付勢力に抗して感光体から遠ざける方向に強制移動させることで、感光体と転写ローラとの軸間距離を広げることが可能である。記録シートとして厚紙が用いられる場合には、転写ローラの強制移動によって前述の軸間距離を広げてニップ圧を低下させるか、あるいは転写ローラを感光体から離間させるかする。これにより、厚紙進入時に発生してしまう感光体に対する急激な負荷上昇を抑えることで、ショックジターの発生を抑えることができる。但し、上述の軸間距離を広げたことに起因して、転写圧の不足に起因する転写不良を引き起こすおそれがある。
【０００４】
かかる転写不良の発生を回避し得る画像形成装置として、特許文献２に記載のものが知られている。この画像形成装置は、厚紙を転写ニップに進入させるのに先立って、回転カムの駆動によって転写ローラを感光体から離間させて、転写ローラと感光体との間に微小ギャップを形成する。これにより、ショックジターの発生を抑える。次いで、厚紙の先端を前述の微小ギャップに進入させた直後に、回転カムの駆動により、転写ローラの強制移動を解除して、転写ローラをバネの付勢力にまかせて感光体に向けて押圧する。これにより、転写処理中には十分な転写圧を発揮して、転写不良の発生を抑えることができる。
【発明の概要】
【発明が解決しようとする課題】
【０００５】
しかしながら、かかる構成では、回転カムを頻繁に駆動して、回転カムの凸部を比較的短期間のうちに摩耗してしまうことから、回転カムの寿命を大きく縮めてしまうという問題があった。
【０００６】
本発明は以上の問題点に鑑みなされたものであり、その目的とするところは、ショックジター及び転写不良の両方を抑えつつ、回転カムの長寿命化を図ることができる画像形成装置を提供することである。
【課題を解決するための手段】
【０００７】
上記目的を達成するために、請求項１の発明は、可視像を担持する像担持体と、
自らと該像担持体とが対向する転写位置で該像担持体に当接して転写ニップを形成することが可能な当接体と、該転写位置に進入した記録シートに該像担持体上の可視像を転写する転写手段と、該像担持体及び当接体のうち、何れか一方を他方に向けて付勢して当接せしめる付勢手段と、回転可能に配設され、所定の回転角度位置にて、自らの周縁に設けられた凸部を、該一方、あるいは該一方に連動する連動体、に設けられた被突き当て部に突き当てることで、該一方を該付勢手段の付勢力に抗して該他方から遠ざける方向に強制移動させる強制移動動作を行うことが可能であり、且つ、他の回転角度位置にて、該凸部よりも小さな半径の軌道で回転する小径部を該被突き当て部に突き当てて該一方の強制移動量をより小さくするか、あるいは該小径部を該被突き当て体に非接触で対向させて該一方の強制移動を解除するかして、該転写位置での記録シートに対する転写圧を増大させる増圧動作を行うことが可能な回転カムと、少なくとも、記録シートの先端を該転写位置に進入させる前のタイミングである進入前タイミングで、該回転カムを該所定の回転角度位置まで回転させて該一方を強制移動させる強制移動処理、及び、該記録シートの先端を該転写位置に進入させた直後のタイミングである進入直後タイミングで、該回転カムを該他の回転角度位置まで回転させて、該転写圧を増大させる増圧処理を実施する制御手段と、を備える画像形成装置であって、上記制御手段が、上記強制移動処理として、上記回転カムを正回転駆動によって上記所定の回転角度位置まで回転させる第１強制移動処理と、該回転カムを逆回転駆動によって該所定の回転角度位置まで回転させる第２強制移動処理とを、所定のタイミングで切り替えて実施するもの、であることを特徴とするものである。
また、請求項２の発明は、請求項１の画像形成装置であって、上記回転カムが、上記小径部として、上記凸部に対して該回転カムの正回転方向の上流側で隣り合う上流側小径部と、下流側で隣り合う下流側小径部とを有するものであり、且つ、上記制御手段が、上記第１強制移動処理として、該回転カムの該上流側小径部を上記被突き当て部に対して突き当てるか、あるいは非接触で対向させるかした状態である第１状態から、該回転カムの正回転駆動により、該回転カムの該凸部を該被突き当て部に突き当てた状態である第２状態に変化させる処理を実施する一方で、上記第２強制移動処理として、該回転カムの該下流側小径部を上記被突き当て部に対して突き当てるか、あるいは非接触で対向させるかした状態である第３状態から、該回転カムの逆回転駆動により、該第２状態に変化させる処理を実施するもの、であることを特徴とするものである。
また、請求項３の発明は、請求項２の画像形成装置であって、上記制御手段が、上記進入前タイミングに加えて、記録シートの後端を上記転写位置から排出する直前のタイミングである排出直前タイミングでも、上記強制移動処理を実施するもの、であることを特徴とするものである。
また、請求項４の発明は、請求項２又は３の画像形成装置であって、上記制御手段が、上記増圧処理として、上記第２状態から、該回転カムの正回転駆動によって上記第３状態に変化させる第１増圧処理と、上記第２状態から、該回転カムの逆回転駆動によって上記第１状態に変化させる第２増圧処理とを、所定のタイミングで切り替えて実施するもの、であることを特徴とするものである。
また、請求項５の発明は、請求項４の画像形成装置であって、上記制御手段が、上記第１増圧処理の次に実施する上記強制移動処理として、上記第２強制移動処理を実施する一方で、上記第２増圧処理の次に実施する上記強制移動処理として、上記第１強制移動処理を実施するもの、であることを特徴とするものである。
また、請求項６の発明は、請求項１乃至５の何れかの画像形成装置において、上記回転カムの上記凸部として、回転方向の中央を境にして線対称の形状のものを設けたことを特徴とするものである。
また、請求項７の発明は、請求項１乃至６の何れかの画像形成装置であって、上記転写位置に送られる前の記録シートの厚み情報を取得する厚み情報取得手段を備えるとともに、互いに軌道の半径が異なる複数の上記凸部を上記回転カムに具備し、且つ、上記制御手段が、厚み情報取得手段による検知結果に応じて、複数の該凸部の中から、上記強制移動処理で上記被突き当て部に突き当てるものを選択する処理を実施するもの、であることを特徴とするものである。
また、請求項８の発明は、請求項１乃至７の何れかの画像形成装置であって、上記回転カムについて、上記所定の回転角度位置になったことを検知する所定角度位置検知手段を備えるとともに、上記制御手段が、上記強制移動処理にて、該所定回転角度位置検知手段による検知結果に基づいて上記回転カムの回転駆動を停止させるもの、であることを特徴とするものである。
また、請求項９の発明は、請求項１乃至８の何れかの画像形成装置であって、上記回転カムの回転駆動源として、ステッピングモータを備えることを特徴とするものである。
【発明の効果】
【０００８】
これらの発明においては、進入前タイミングで強制移動処理を実施して当接体を像担持体から遠ざける方向に強制移動させておくことで、シート進入時に発生してしまう像担持体に対する急激な負荷上昇を抑える。これにより、ショックジターの発生を抑えることができる。
また、進入直後タイミングで増圧処理を実施して、進入前タイミングのときよりも転写圧を増大させることで、転写処理中に十分な転写圧を得る。これにより、転写不良の発生を抑えることができる。
更には、次に説明する理由により、回転カムの長寿命化を図ることができる。即ち、回転カムの凸部における頭頂部については、被突き当て部との摺擦性を良好にする目的で、凸湾曲面にするのが一般的である。強制移動処理では、このような凸湾曲面におけるカム回転方向の中央箇所を、カム回転に伴って被突き当て部に突き当てるのであるが、その際、中央箇所の回転方向における概ね上流側半分の領域を被突き当て部に強く擦り付けながら、被突き当て部を法線方向に押していく。このため、凸部の摩耗は、主に、凸湾曲面における回転方向の上流側半分で発生する。従来装置においては、回転カムを正回転方向にしか回転させていなかったため、凸湾曲面における正回転方向の上流側半分の領域を集中的に摩耗させていた。これに対し、本発明においては、強制移動処理を実施する際の回転カムの回転方向を、正回転方向と逆回転方向とで切り替えることで、凸湾曲面の摩耗を、正回転方向の上流側半分と、正回転方向の下流側半分（＝逆回転方向の上流側半分）とに散らす。これにより、回転カムの長寿命化を図ることができる。
【図面の簡単な説明】
【０００９】
【図１】実施形態に係る複写機を示す概略構成図。
【図２】同複写機のプリンタ部における２次転写ニップとその周囲構成とを示す拡大模式図。
【図３】同２次転写ニップの周囲構成を示す拡大断面図。
【図４】同周囲構成を示す斜視図。
【図５】同複写機の第１回転カムや第２回転カムを示す拡大側面図。
【図６】第１回転カムを０［°］の回転角度位置で停止させた状態における２次転写位置の周囲を示す拡大構成図。
【図７】第１回転カムを９０［°］の回転角度位置で停止させた状態における２次転写位置の周囲を示す拡大構成図。
【図８】第１回転カムを１８０［°］の回転角度位置で停止させた状態における２次転写位置の周囲を示す拡大構成図。
【図９】第１回転カムを２７０［°］の回転角度位置で停止させた状態における２次転写位置の周囲を示す拡大構成図。
【図１０】回転カム（第１、第２）の回転角度位置と、変位量δとの関係を示すグラフ。
【図１１】連続プリントモードにおいて、第１凸部による強制移動処理と、増圧処理と、第１凸部による減圧処理とを複数の記録シートにそれぞれ施す場合における各種タイミングを示すタイミングチャート。
【図１２】第１プリントテスト（押し下げ量＝１ｍｍの条件）における中間転写ベルトの速度変動率と経過時間との関係を示すグラフ。
【図１３】第２プリントテスト（押し下げ量＝０．７ｍｍの条件）における中間転写ベルトの速度変動率と経過時間との関係を示すグラフ。
【図１４】厚紙Ｐ２を用いる場合の進入前タイミングにおける２次転写位置の状態を示す拡大側面図。
【図１５】厚紙Ｐ２を用いる場合の進入直後タイミングにおける２次転写位置の状態の一例を示す拡大側面図。
【図１６】厚紙Ｐ２を用いる場合の排出直前タイミングにおける２次転写位置の状態の一例を示す拡大側面図。
【図１７】実施形態に係る複写機の変形例における２次転写位置の周囲を示す拡大構成図。
【発明を実施するための形態】
【００１０】
以下、本発明を画像形成装置としてのタンデム型のカラー複写機（以下、単に複写機という）に適用した一実施形態について説明する。
図１は、実施形態に係る複写機を示す概略構成図である。この複写機は、プリンタ部１００と、給紙部２００と、プリンタ部１００の上に取り付けられたスキャナ部３００と、スキャナ部３００の上に取り付けられた原稿自動搬送装置（ＡＤＦ）４００とを備えている。
【００１１】
プリンタ部１００は、像担持体としての無端ベルト状の中間転写ベルト２１を備えている。中間転写ベルト２１は、側方からの眺めが逆三角形状の形状になる姿勢で、駆動ローラ２２、従動ローラ２３及び２次転写対向ローラ２４に掛け回されており、駆動ローラ２２の回転駆動によって図中時計回り方向に無端移動せしめられる。中間転写ベルト２１の上方には、Ｃ（シアン），Ｍ（マゼンタ），Ｙ（イエロー），Ｋ（黒）のトナー像を形成するための４つの画像形成ユニット１Ｃ，Ｍ，Ｙ，Ｋが、ベルト移動方向に沿って並ぶように配設されている。
【００１２】
画像形成ユニット１Ｃ，Ｍ，Ｙ，Ｋは、感光体２Ｃ，Ｍ，Ｙ，Ｋと、現像ユニット３Ｃ，Ｍ，Ｙ，Ｋと、感光体クリーニング装置４Ｃ，Ｍ，Ｙ，Ｋとを有している。感光体２Ｃ，Ｍ，Ｙ，Ｋは、それぞれ中間転写ベルト２１に当接してＣ，Ｍ，Ｙ，Ｋ用の１次転写ニップを形成しながら、図示しない駆動手段によって図中反時計回り方向に回転駆動せしめられる。なお、現像ユニット３Ｃ，Ｍ，Ｙ，Ｋは、感光体２Ｃ，Ｍ，Ｙ，Ｋに形成された静電潜像をＣ，Ｍ，Ｙ，Ｋトナーによって現像するものである。また、感光体クリーニング装置４Ｃ，Ｍ，Ｙ，Ｋは、１次転写ニップを通過した後の感光体２Ｃ，Ｍ，Ｙ，Ｋに付着している転写残トナーをクリーニングするものである。本プリンタでは、ベルト移動方向に沿って並べられた４つの画像形成ユニット１Ｃ，Ｍ，Ｙ，Ｋにより、タンデム画像形成部１０が構成されている。
【００１３】
プリンタ部１００内において、タンデム画像形成部１０の上方には、光書込ユニット１５が配設されている。この光書込ユニット１５は、図中反時計回り方向に回転駆動される感光体２Ｃ，Ｍ，Ｙ，Ｋの表面に対し、光走査による光書込処理を施して静電潜像を形成するものである。感光体２Ｃ，Ｍ，Ｙ，Ｋの表面は、それぞれその光書込処理に先立って、画像形成ユニット１Ｃ，Ｍ，Ｙ，Ｋの一様帯電手段によって一様帯電せしめられる。
【００１４】
中間転写ベルト２１等を具備する転写ユニット２０は、中間転写ベルト２１のループ内側に、１次転写ローラ２５Ｃ，Ｍ，Ｙ，Ｋを有している。これら１次転写ローラ２５Ｃ，Ｍ，Ｙ，Ｋは、Ｃ，Ｍ，Ｙ，Ｋ用の１次転写ニップの裏側で中間転写ベルト２１を感光体２Ｃ，Ｍ，Ｙ，Ｋに向けて押圧している。
【００１５】
中間転写ベルト２１の下方には、当接体としての２次転写ローラ３０が配設されている。この２次転写ローラ３０は、中間転写ベルト２１における２次転写対向ローラ２４に対する掛け回し箇所にベルトおもて面側から当接して２次転写ニップを形成している。この２次転写ニップには、記録シートが所定のタイミングで送り込まれる。そして、中間転写ベルト２１上の４色重ね合わせトナー像がこの２次転写ニップで記録シートに一括２次転写される。
【００１６】
スキャナ部３００は、コンタクトガラス３０１上に載置された原稿の画像情報を読取センサ３０２で読み取り、読み取った画像情報をプリンタ部１００の制御部に送る。ＣＰＵ（Central Processing Unit）、ＲＡＭ（Random Access Memory）、ＲＯＭ（Read Onlymemory）などからなる制御手段としての図示しない制御部は、スキャナ部３００から受け取った画像情報に基づき、プリンタ部１００の光書込ユニット１５におけるレーザーダイオードやＬＥＤ等の光源を制御して、Ｃ，Ｍ，Ｙ，Ｋ用のレーザー書込光を出射して、感光体２Ｃ，Ｍ，Ｙ，Ｋを光走査する。この光走査により、感光体２Ｃ，Ｍ，Ｙ，Ｋの表面に静電潜像が形成され、この潜像は所定の現像プロセスを経てＣ，Ｍ，Ｙ，Ｋトナー像に現像される。
【００１７】
給紙部２００は、ペーパーバンク２０１内に多段に配設された給紙カセット２０２、給紙カセット２０２から記録シートを送り出す給紙ローラ２０３、送り出された記録シートを分離して給紙路２０４に導く分離ローラ２０５、プリンタ部１００の給紙路９９に記録シートを搬送する搬送ローラ２０６等を備えている。
【００１８】
給紙については、給紙部２００以外に、手差し給紙も可能となっており、手差しのための手差しトレイ９８、手差しトレイ９８上の記録シートを手差し給紙路９７に向けて一枚ずつ分離する分離ローラ９６も設けられている。プリンタ部１００内において、手差し給紙路９７は給紙路９９に合流している。
【００１９】
給紙路９９の末端付近には、レジストローラ対９５が配設されている。レジストローラ対９５は、給紙路９９内を搬送されてくる記録シートをローラ間に挟み込んだ後、所定のタイミングで２次転写ニップに向けて送り込む。
【００２０】
実施形態に係る複写機において、カラー画像のコピーをとるときには、ＡＤＦ４００の原稿台４０１上に原稿をセットするか、又はＡＤＦ４００を開いてスキャナ部３００のコンタクトガラス３０１上に原稿をセットしてＡＤＦ４００を閉じることで原稿を押さえる。そして、不図示のスタートスイッチを押す。すると、原稿がＡＤＦ４００にセットされている場合には、原稿がコンタクトガラス３０１上に搬送される。その後、スキャナ部３００が駆動を開始し、第１走行体３０３及び第２走行体３０４が原稿面に沿った走行を開始する。そして、第１走行体３０３にて光源から発した光を原稿面で発射させるとともに、得られた反射光を折り返して第２走行体３０４に向ける。折り返し光は、第２走行体３０４のミラーで更に折り返された後、結像レンズ３０５を通して読取センサ３０２に入射される。これにより、原稿内容が読み取られる。
【００２１】
プリンタ部１００は、スキャナ部３００から画像情報を受け取ると、画像情報に応じたサイズの記録シートを給紙路９９に給紙する。また、これに伴って、不図示の駆動モータで駆動ローラ２２を回転駆動して中間転写ベルト２１を図中時計回り方向に無端移動させる。同時に、画像形成ユニット１Ｃ，Ｍ，Ｙ，Ｋの感光体２Ｃ，Ｍ，Ｙ，Ｋの回転駆動を開始した後、感光体２Ｃ，Ｍ，Ｙ，Ｋに対する一様帯電処理、光書込処理、現像処理などを行う。これらの処理によって感光体２Ｃ，Ｍ，Ｙ，Ｋの表面上に形成されたＣ，Ｍ，Ｙ，Ｋトナー像は、Ｃ，Ｍ，Ｙ，Ｋ用の１次転写ニップで順次重ね合わせて中間転写ベルト２１上に１次転写されて、４色重ね合わせトナー像になる。
【００２２】
給紙部２００では、給紙ローラ２０３の１つが記録シートサイズに応じて選択的に回転され、３つの給紙カセット２０２のうちの１つから記録シートが送り出される。送り出された記録シートは、分離ローラ４２０５で１枚ずつ分離されてから給紙路２０６に導入された後、搬送ローラ２０６を経由してプリンタ部１００内の給紙路９９に送られる。また、手差しトレイ９８を用いる場合には、トレイの給紙ローラが回転駆動して、トレイ上の記録シートを分離ローラ９６で分離しながら手差し給紙路９７に送り込まれて給紙路９９の末端付近に至る。給紙路９９の末端付近では、記録シートが先端をレジストローラ対９５に突き当てて止まる。その後、中間転写ベルト２１上の４色重ね合わせトナー像に同期し得るタイミングでレジストローラ対９５が回転駆動すると、２次転写ニップ内に送り込まれてベルト上の４色重ね合わせトナー像に密着する。そして、ニップ圧や転写用電界などの影響によって記録シート上に一括２次転写される。
【００２３】
２次転写ニップで４色重ね合わせトナー像が２次転写された記録シートは、用紙搬送ベルト７０によって定着装置７１内に送り込まれる。そして、定着装置７１で加圧ローラ７２と定着ベルト７３との間の定着ニップに挟み込まれると、加圧や加熱処理によって４色重ね合わせトナー像が表面に定着せしめられる。このようにしてカラー画像が形成された記録シートは、排出ローラ対７４を経由して機外の排紙トレイ７５上にスタックされる。なお、記録シートのもう一方の面にも画像が形成される場合には、記録シートは定着装置７１から排出された後、切替爪７６によって進路が切り換えられることにより、シート反転装置７５に送られる。そして、上下反転された後、再びレジストローラ対９５に戻されてから、２次転写ニップ及び定着装置７１を再経由する。
【００２４】
２次転写ニップを通過した後、４色のうちで１次転写工程が最も上流となるＣ用の１次転写ニップに進入する前の中間転写ベルト２１表面には、ベルトクリーニング装置２６が当接している。このベルトクリーニング装置２６は、ベルト表面に付着している転写残トナーをクリーニングする。
【００２５】
図２は、実施形態に係る複写機のプリンタ部１００における２次転写ニップとその周囲構成とを示す拡大模式図である。同図において、中間転写ベルト２１のループ内側で自らの周面にベルトを部分的に掛け回している２次転写対向ローラ２４は、変形自在な中間転写ベルト２１を自らの周面でバックアップして一定の曲率に沿った形状に維持する役割を担っている。中間転写ベルト２１における２次転写対向ローラ２４に対する掛け回し箇所には、２次転写ローラ３０がベルトおもて面側から当接して２次転写ニップを形成している。
【００２６】
２次転写ローラ３０は、図示しない軸受けを介して、ローラユニット保持体４０に回転自在に保持されている。ローラユニット保持体４０は、２次転写ローラ３０の回転軸線と平行な姿勢をとるように配設された回動軸４０ａを中心にして回動可能に構成されている。ローラユニット保持体４０が回動軸４０ａを中心にして図中反時計回り方向に回転すると、ローラユニット保持体４０に保持されている２次転写ローラ３０が中間転写ベルト２１に押し当てられて２次転写ニップが形成される。また、ローラユニット保持体４０が回動軸４０ａを中心にして図中時計回り方向に回転すると、ローラユニット保持体４０に保持されている２次転写ローラ３０が中間転写ベルト２１から離間する。実施形態に係る複写機では、付勢手段としての付勢コイルバネ４５によってローラユニット保持体４０における回動軸４０ａとは反対側の端部を中間転写ベルト２１に向けて常に付勢している。付勢コイルバネ４５により、ローラユニット保持体４０に対して、回動軸４０ａを中心にして図中反時計回り方向に回転させる力を常に付与することで、２次転写ローラ３０を中間転写ベルト２１に向けて付勢している。
【００２７】
２次転写ローラ３０は、図示しないローラ駆動モータの回転駆動力が図示しないギヤ等の駆動伝達手段を介して伝達されることで、図中反時計回り方向に回転駆動される。これらローラ駆動モータや駆動伝達手段も、ローラユニット保持体４０に保持させて、２次転写ローラ３０やローラユニット保持体４０とともに回動させるようにしている。また、ローラユニット保持体４０には、クリーニングブレード３９、固形潤滑剤４１、潤滑剤押し当て器４３等も保持させている。
【００２８】
トナー像を担持する中間転写ベルト２１のおもて面に接触している２次転写ローラ３０の表面には、ベルト上のトナーが付着する。この付着トナーをそのままにしておくと、２次転写ニップで記録シートの裏面に転移させていわゆる裏汚れを発生させてしまう。そこで、本複写機では、クリーニングブレード３９のエッジを２次転写ローラ３０の表面に当接させることで、２次転写ローラ３０の表面からトナーを機械的に除去している。このような構成では、クリーニングブレード３９の当接により、２次転写ローラ３０に対して回転を阻害する負荷をかけるので、２次転写ローラ３０を中間転写ベルト２１との連れ回りによって従動回転させることができない。このため、２次転写ローラ３０を上述したローラ駆動モータによって回転駆動しているのである。
【００２９】
潤滑剤押し当て器４３は、ステアリン酸亜鉛塊等からなる固形潤滑剤４１を付勢コイルバネ４２によって２次転写ローラ３０に押し当てることで、潤滑剤粉末を２次転写ローラ３０に塗布する。このように潤滑剤を塗布することで、クリーニングブレード３９と２次転写ローラ３０との当接による回転負荷上昇を抑えている。また、ブレードエッジの巻き込みの発生も抑えている。固形潤滑剤４１を２次転写ローラ３０に押し当てる代わりに、固形潤滑剤４１から潤滑剤を掻き取りながら２次転写ローラ３０に塗布する回転塗布ブラシを設けてもよい。
【００３０】
図３は、２次転写ニップの周囲構成を示す拡大断面図である。また、図４は、２次転写ニップの周囲構成を示す斜視図である。
これらの図において、２次転写ローラ３０は、ローラ部３１と、これの軸線方向の両端面からそれぞれ突出して回転軸線方向に延在する第１軸部材３２及び第２軸部材３３と、後述する第１空転コロ３４及び第２空転コロ３５とを有している。また、ローラ部３１は、円筒状の中空芯金３１ａと、これの周面に固定された弾性材料からなる弾性層３１ｂと、これの周面に固定された表面層３１ｃとを具備している。
【００３１】
中空芯金３１ａを構成する金属としては、ステンレス、アルミニウムなどを例示することができるが、これらの材料に限定されるものではない。弾性層３１ｂについては、ＪＩＳ−Ａ硬度で７０［°］以下にすることが望ましい。しかし、ローラ部３１には、クリーニングブレード３９を当接させていることから、弾性層３１ｂが柔らかすぎると様々な不具合を引き起こしてしまう。よって、弾性層３１ｂについては、ＪＩＳ−Ａ硬度で４０［°］以上にすることが望ましい。ある程度の導電性を発揮するエピクロルヒドリンゴムにより、ＪＩＳ−Ａ硬度で５０［°］程度の弾性層３１ｂを形成している。導電性を発揮するゴム材料として、前述した導電性のエピクロルヒドリンゴムの代わりに、カーボンを分散せしめたＥＰＤＭやＳｉゴム、イオン導電機能を有するＮＢＲ、ウレタンゴムなどを使用してもよい。ゴム材料の多くがトナーに対して良好な化学的親和性を発揮したり、比較的大きな摩擦係数を発揮したりすることから、ゴムからなる弾性層３１ｂの表面には、表面層３１ｃを被覆している。これにより、ローラ部３１表面に対するトナー付着を抑えたり、ブレードとの摺擦負荷を低減したりしている。表面層３１ｃの材料としては、低摩擦係数で且つ良好なトナー離型性を発揮するフッ素樹脂系樹脂にカーボンやイオン導電剤などの抵抗調整材を含有させたものが好適である。
【００３２】
２次転写ローラ３０は、中間転写ベルト２１と接触しながら回転する際に、ベルトと微小な線速差をもつことがある。この線速差によってベルトをスリップさせないように、表面層３１ｃとしては、摩擦係数を０．３以下に調整している。中間転写ベルト２１については、各色の画像を色ズレなく重ねて転写する狙いから、一定速度で駆動することが求められるため、２次転写ローラ３０の表面層３１ｃの表面摩擦抵抗を低くすることは重要である。
【００３３】
２次転写ローラ３０は、２次転写対向ローラ２４に掛け回されている中間転写ベルト２１に向けて付勢されている。中間転写ベルト２１を掛け回している２次転写対向ローラ２４は、円柱状の本体部であるローラ部２４ｂと、ローラ部２４ｂの回転中心箇所に対して回転軸線方向に貫通しつつ、ローラ部２４ｂを自らの表面上で空転させる貫通軸部材２４ａとを有している。貫通軸部材２４ａは、金属からなり、その周面上でローラ部２４ｂを自在に空転させる。本体部としてのローラ部２４ｂは、ドラム状の中空芯金２４ｃと、これの周面上に固定された弾性材料からなる弾性層２４ｄと、中空芯金２４ｃの軸線方向両端にそれぞれ圧入された玉軸受け２４ｅとを具備している。玉軸受け２４ｅが中空芯金２４ｃを支えながら、中空芯金２４ｃとともに貫通軸部材２４ａ上で回転する。弾性層２４ｄは、中空芯金２４ｃの外周面に圧入されている。
【００３４】
貫通軸部材２４ａは、中間転写ベルト２１を張架する転写ユニットの第１側板２８に固定された第１軸受け５２と、第２側板に固定された第２玉軸受け５３とにより、回転自在に支持されている。但し、プリントジョブ時における殆どの時間は、回転駆動されずに停止している。そして、中間転写ベルト２１の無端移動に伴って連れ回ろうとするローラ部２４ｂを、自らの周面上で自在に空転させる。
【００３５】
中空芯金２４ｃの周面上に固定された弾性層２４ｄは、７．５［ＬｏｇΩ］以上の抵抗を発揮するように、イオン導電剤の添加によって抵抗値が調整された導電性ゴム材料から構成されている。弾性層２４ｄの電気抵抗を所定の範囲に調整しているのは、Ａ５サイズなどといった、ローラ軸線方向のサイズが比較的小さな記録シートを使用する際に、２次転写ニップ内において、記録シートの介在なしにベルトとローラとが直接接触している箇所に転写電流を集中させてしまうのを防止する狙いからである。弾性層２４ｄの電気抵抗を、記録シートの抵抗よりも大きな値にすることで、そのような転写電流の集中を抑えることが可能になる。
【００３６】
また、弾性層１６ｃを構成する導電性ゴム材料としては、Ａｓｋｅｒ−Ｃ硬度で４０［°］程度の弾性を発揮するように、発泡ゴムを用いている。このような発泡ゴムで弾性層１６ｃを構成することで、２次転写ニップ内で弾性層１６ｃを厚み方向に柔軟に変形させて、シート搬送方向にある程度の広さを有する２次転写ニップを形成することができる。なお、本複写機では、既に述べたように、２次転写ローラ３０にクリーニングブレード３９を当接させる都合上、２次転写ローラ３０のローラ部の材料として、弾性に富む材料を使用することが困難である。そこで、２次転写ローラ３０の代わりに、２次転写対向ローラ２４のローラ部２４ｂを弾性変形させるようにしている。
【００３７】
２次転写対向ローラ２４の貫通軸部材２４ａにおいて、長手方向の全領域のうち、ローラ部２４ｂの中に位置していない両端部領域には、それぞれ２次転写ローラ３０に突き当てるための回転カム（５０，５１）を、貫通軸部材２４ａと一体的に回転させるように固定している。具体的には、貫通軸部材２４ａの長手方向の一端部領域には、第１回転カム５０を固定している。第１回転カム５０は、回転カム部５０ａと、真円形のコロ部５０ｂとを軸線方向に並べて一体形成したものである。コロ部５０ｂに貫通させたネジ８０を貫通軸部材２４ａに螺合させることで、第１回転カム５０を貫通軸部材２４ａに固定している。また、貫通軸部材２４ａの長手方向の他端部領域には、第１回転カム５０と同様の構成の第２回転カム５１を固定している。
【００３８】
貫通軸部材２４ａの軸線方向における第２回転カム５１よりも外側の領域には、駆動受入ギヤ５４を固定している。また、この駆動受入ギヤ５４の更に外側には、被検知円盤５９を固定している。
【００３９】
一方、転写ユニットの第２側板２９には、カム駆動モータ５８を固定するとともに、入出力ギヤユニットを回転自在に固定している。この入出力ギヤユニットは、カム駆動モータ５８のモータギヤ５７に噛み合って駆動力を受け入れる入力ギヤ部５５と、貫通軸部材２４ａに固定された駆動受入ギヤ５４に対して噛み合って駆動力を伝達する出力ギヤ部５６とを、軸線方向に並べて一体形成したものである。カム駆動モータ５８を駆動することにより、貫通軸部材２４ａを回転させることが可能である。この際、貫通軸部材２４ａを回転させても、ローラ部２４ｂについては貫通軸部材２４ａ上で自在に空転させることが可能であるので、ベルトによるローラ部２４ｂの連れ回りを阻害することはない。
【００４０】
貫通軸部材２４ａが所定の回転角度位置で回転を停止させると、第１回転カム５０、第２回転カム５１がそれぞれ、その凸部を２次転写ローラ３０に突き当てて、２次転写ローラ３０をローラユニット保持体の付勢コイルバネ（４５）の付勢力に抗して押し返す。これにより、２次転写ローラ３０を２次転写対向ローラ２４（ひいては中間転写ベルト２１）から遠ざける方向に移動させることで、２次転写対向ローラ２４と２次転写ローラ３０との軸間距離を調整する。かかる構成では、第１回転カム５０、第２回転カム５１、カム駆動モータ５８、各種ギヤ、上述したローラユニット保持体などにより、２次転写対向ローラ２４と２次転写ローラ３０との軸間距離を調整する距離調整手段が構成されている。そして、回転可能な支持回転体としての２次転写対向ローラ２４は、その円柱状のローラ部２４ｂに対して貫通せしめた貫通軸部材２４ａ上で、ローラ部２４ｂを自在に空転させる。貫通軸部材２４ａが回転すれば、貫通軸部材２４ａの軸線方向の両端部にそれぞれ固定された回転カム（５０、５１）が一体となって回転するので、貫通軸部材２４ａに駆動を伝達するための駆動伝達機構を軸線方向の一端側に設けるだけで、両端側の回転カムをそれぞれ回転させることが可能である。よって、両端側にそれぞれ駆動伝達機構を設ける必要があった従来に比べて、距離調整手段のレイアウト自由度を向上させることができる。
【００４１】
本複写機では、２次転写ローラ３０の中空芯金３１ａを接地している一方で、２次転写対向ローラ２４の中空芯金２４ｃに対してトナーと同極性の２次転写バイアスを印加する。これにより、２次転写ニップ内に、トナーを２次転写対向ローラ２４側から２次転写ローラ３０側に向けて静電移動させる２次転写電界を、両ローラ間に形成する。
【００４２】
２次転写対向ローラ３０の金属製の貫通軸部材２４ａを回転自在に受けている第１軸受け５２は、導電性のすべり軸受けからなる。この導電性の第１軸受け５２には、２次転写バイアスを出力する高圧電源６１が接続されている。高圧電源６１から出力される２次転写バイアスは、導電性の第１軸受け５２を介して２次転写対向ローラ３０に導かれる。そして、２次転写対向ローラ３０内では、金属製の貫通軸部材２４ａと、金属製の玉軸受け２４ｅと、金属製の中空芯金２４ｃと、導電性の弾性層２４ｄとを順に伝わっていく。
【００４３】
貫通軸部材２４ａの一端に固定された被検知円盤５９は、貫通軸部材２４ａの回転方向における所定の位置において軸線方向に立ち上がる被検部５９ａを有している。一方、カム駆動モータ５８を支持しているモータブラケットには、光学センサ６０が固定されている。貫通軸部材２４ａが回転する過程において、貫通軸部材２４ａが所定の回転角度位置に位置すると、被検知円盤５９の被検部５９ａが、光学センサ６０の発光素子と受光素子との間に入り込んで両者間の光路を遮断する。光学センサ６０の受光素子は、発光素子からの光を受光すると受光信号を上述の制御部に送信する。制御部は、受光素子からの受光信号が途絶えたタイミングや、そのタイミングからのカム駆動モータ５８の駆動量に基づいて、貫通軸部材２４ａに固定された回転カム（５０，５１）の凸部の回転角度位置を把握する。
【００４４】
上述したように、回転カム（５０，５１）は、所定の回転角度位置で２次転写ローラ３０に突き当たって、２次転写ローラ３０を付勢コイルバネ（４５）の付勢力に抗して２次転写対向ローラ２４から遠ざける方向に押し返す（以下、この押し返しを「押し下げ」という）。このときの押し返し量（以下、押し下げ量という）は、回転カム（５０，５１）の凸部の突出量によって決まる。なお、２次転写ローラ３０の押し下げ量が大きくなるほど、２次転写対向ローラ２４と２次転写ローラ３０との軸間距離が大きくなる。
【００４５】
２次転写ローラ３０において、ローラ部３１と一体になって回転する第１軸部材３２には、第１空転コロ３４が空転可能に設けられている。この第１空転コロ３４は、外径がローラ部３１よりも少し大きなドーナッツ円盤状の形状をしている。そして、それ自体が玉軸受けとしての機能を有しており、第１軸部材３２の周面上で空転することができる。２次転写ローラ３０の第２軸部材３３には、第１空転コロ３４と同様の構成の第２空転コロ３５が空転可能に設けられている。
【００４６】
貫通軸部材２４ａの一端側に固定された第１回転カム５０は、所定の回転角度位置において、バネ付勢方向に２次転写ローラ３０に連動する連動体としての第１空転コロ３４におけるコロ面（被突き当て部）突き当たる。このとき同時に、貫通軸部材２４ａの他端側に固定された第２回転カム５１が、連動体としての第２空転コロ３５におけるコロ面（被突き当て部）突き当たる。２次転写対向ローラ２４の回転カム（５０，５１）に突き当てられた空転コロ（３４，３５）は、その突き当てに伴って回転を阻止されるが、それによって２次転写ローラ３０の回転が妨げられることはない。空転コロ（３４，３５）が回転を停止しても、空転コロが玉軸受けになっているので、２次転写ローラ３０の軸部材（３２，３３）は、空転コロから独立して自在に回転することができるからである。回転カム（５０，５１）の突き当てに伴って空転コロ（３４，３５）の回転を停止させることで、両者の摺擦の発生を回避するとともに、摺擦によるベルト駆動モータや２次転写ローラ３０の駆動モータのトルク上昇の発生を回避することもできる。
【００４７】
制御部は、次のような強制移動処理を実施するようになっている。即ち、記録シートの先端を転写位置としての２次転写ニップに進入させる前のタイミングである進入前タイミングで、カム駆動モータ５８の駆動により、回転カム（５０，５１）を所定の回転角度位置まで回転させて、２次転写ローラ３０を中間転写ベルト２１から遠ざける方向に強制移動させる処理である。この強制移動処理により。２次転写ニップに記録シートを進入させる時に発生してしまう中間転写ベルト２１に対する急激な負荷上昇を抑えて、ショックジターの発生を抑えることができる。なお、進入前タイミングとしては、記録シートをレジストローラ対９５によって２次転写ニップに向けて送り出し始めたタイミングを採用している。
【００４８】
また、制御部は、次のような増圧処理を実施するようになっている。即ち、記録シートの先端を中間転写ベルト２１と２次転写ローラ３０との間に進入させた直後のタイミングである進入直後タイミングで、回転カム（５０，５１）を、上述した所定の回転角度位置とは異なる回転角度位置まで回転させる。これにより、記録シートに対する転写圧を増大させる処理である。このような増圧処理により、シート進入直後において、進入前タイミングのときよりも転写圧を増大させることで、転写処理中に十分な転写圧を得て、転写不良の発生を抑えることができる。
【００４９】
強制移動処理については、上述した進入前タイミングに加えて、記録シートの後端が中間転写ベルト２１と２次転写ローラ３０との間をすり抜ける直前のタイミングである排出直前タイミングでも実施するようになっている。排出直前タイミングで強制移動処理を実施すると、シート後端がすり抜ける際の中間転写ベルト２１に対する急激な負荷低下を抑えることが可能になるので、その急激な負荷低下に起因する画像濃度ムラの発生を抑えることができる。なお、以下、排出直前タイミングで実施する強制移動処理のことを、特に、減圧処理という。
【００５０】
次に、実施形態に係る複写機の特徴的な構成について説明する。
図５は、第１回転カム５０や第２回転カム５１を示す拡大側面図である。第１回転カム５０，第２回転カム５１はそれぞれ、第１小径部５０ａ，５１ａと、第１凸部５０ｂ，５１ｂと、第２小径部５０ｃ，５１ｃと、第２凸部５０ｄ，５１ｄとを具備している。第１小径部５０ａ，５１ａと、第２小径部５０ｃ，５１ｃとは、互いに同じ径になっている。また、第１凸部５０ｂ，５１ｂは、第１小径部５０ａ，５１ａや第２小径部５０ｃ，５１ｃよりも大径になっている。また、第２凸部５０ｄ，５１ｄは、第１小径部５０ａ，５１ａや第２小径部５０ｃ，５１ｃよりも大径であるが、第１凸部５０ｂ，５１ｂよりは小径になっている。同図においては、第１回転カム５０，第２回転カム５１として、それぞれ０［°］の回転角度位置で停止している状態のものを示している。この状態では、図示のように、第１回転カム５０，第２回転カム５１は、第１小径部５０ａ．５１ａを鉛直方向上方に向ける姿勢になっている。
【００５１】
本複写機では、上述したカム駆動モータ５８を正転駆動すると、第１回転カム５０や第２回転カム５１を、図中反時計回り方向に回転駆動させる。以下、この方向を正回転方向という。また、その逆方向を逆回転方向という。
【００５２】
第１回転カム５０や第２回転カム５１において、第１凸部５０ｂ，５１ｂに着目した場合、それよりも正回転方向の上流側では、第２小径部５０ｃ，５１ｃが隣接している。つまり、第２小径部５０ｃ，５１ｃは、第１凸部５０ｂ，５１ｂに対しては上流側小径部として機能している。一方で、第２凸部５０ｄ，５１ｄに対しては、正回転方向の下流側で隣り合っているので、下流側小径部として機能している。
【００５３】
また、第１回転カム５０や第２回転カム５１において、第１凸部５０ｂ，５１ｂに着目した場合、それよりも正回転方向の下流側では、第１小径部５０ａ，５１ａが隣接している。つまり、第１小径部５０ａ，５１ａは、第１凸部５０ｂ，５１ｂに対しては下流側小径部として機能している。一方で、第２凸部５０ｄ，５１ｄに対しては、正回転方向の上流側で隣り合っているので、上流側小径部として機能している。
【００５４】
図６は、第１回転カム５０を０［°］の回転角度位置で停止させた状態における２次転写位置の周囲を示す拡大構成図である。この状態では、第１回転カム５０が第２小径部５０ｃを、２次転写ローラ３０の軸部材上の第１空転コロ３４に対向させる姿勢をとるが、第１空転コロ３４に対しては非接触の状態になっている。つまり、第１回転カム５０は、２次転写ローラ３０を押し下げておらず（強制移動させていない）、２次転写ローラ３０が付勢コイルバネ４５の付勢力によって中間転写ベルト２１に押し当てられて２次転写ニップを形成している。なお、ローラ軸線方向の反対側では、図示しない第２回転カム（５１）が、同様にして、第２小径部（５１ｃ）を第２空転コロ（３５）に対向させつつ、両者間に所定の間隙を保持する姿勢になっている。以下、第２回転カムの挙動は、第１回転カム５０と同様であるので、第１回転カム５０の挙動についてのみ説明する。
【００５５】
図７は、第１回転カム５０を図６の状態から９０［°］だけ正回転させた状態、即ち、９０［°］の回転角度位置で停止させた状態における２次転写位置の周囲を示す拡大構成図である。この状態では、第１回転カム５０が第１凸部５０ｂを、２次転写ローラ３０の軸部材上の第１空転コロ３４に突き当てて、２次転写ローラ３０を押し下げている状態になる。第１凸部５０ｂによって２次転写ローラ３０を押し下げた場合には、図示のように、中間転写ベルト２１と２次転写ローラ３０との間のギャップＧが形成される。
【００５６】
図８は、第１回転カム５０を図７の状態から９０［°］だけ正回転させた状態、即ち、１８０［°］の回転角度位置で停止させた状態における２次転写位置の周囲を示す拡大構成図である。この状態では、第１回転カム５０が第１小径部５０ａを、２次転写ローラ３０の軸部材上の第１空転コロ３４に対向させる姿勢をとるが、第１空転コロ３４に対しては非接触の状態になっている。つまり、０［°］の回転角度位置のときと同様に、第１回転カム５０は、２次転写ローラ３０を押し下げておらず、２次転写ローラ３０が付勢コイルバネ４５の付勢力によって中間転写ベルト２１に押し当てられて２次転写ニップを形成している。
【００５７】
図９は、第１回転カム５０を図８の状態から９０［°］だけ正回転させた状態、即ち、２７０［°］の回転角度位置で停止させた状態における２次転写位置の周囲を示す拡大構成図である。この状態では、第１回転カム５０が第２凸部５０ｄを、２次転写ローラ３０の軸部材上の第１空転コロ３４に突き当てて、２次転写ローラ３０を押し下げている状態になる。第２凸部５０ｄによって２次転写ローラ３０を押し下げた場合には、図示のように、２次転写ローラ３０が中間転写ベルト２１に対して線接触（ソフトタッチ）する状態となる。広幅な２次転写ニップを形成している場合に比べて、押圧力が弱くなる。
【００５８】
図１０は、回転カム（５０，５１）の回転角度位置と、変位量δとの関係を示すグラフである。図示のように、回転角度位置が０［°］や１８０［°］のときには、回転カムによる押し下げがなされないので、変位量δ（＝押し下げ量）は０［ｍｍ］となる。これに対し、回転カムの回転角度位置が９０［°］のときには、変位量δが１［ｍｍ］になる。この１［ｍｍ］は、回転カムの第１小径部や第２小径部と、第１凸部との段差に等しい。また、回転カムの回転角度位置が２７０［°］のときには、変位量δが０．７［ｍｍ］になる。この０．７［ｍｍ］は、回転カムの第１小径部や第２小径部と、第２凸部との段差に等しい。
【００５９】
制御部は、上述した強制移動処理として、回転カム（５０，５１）を正回転駆動により、所定の回転角度位置である、９０［°］や２７０［°］の回転角度位置まで回転させる第１強制移動処理と、回転カムを逆回転駆動によって９０［°］や２７０［°］の回転角度位置まで回転させる第２強制移動処理とを、切り替えて実施するようになっている。より詳しくは、第１凸部（５０ｂ，５１ｂ）による押し下げ（９０°の回転角度位置）については、第１強制移動処理と第２強制移動処理とを交互に切り替えて実施するようになっている。また、第２凸部（５０ｄ，５１ｄ）による押し下げ（２７０°の回転角度位置）ついても、第１強制移動処理と第２強制移動処理とを交互に切り替えて実施するようになっている。
【００６０】
なお、上述したように、制御部は、進入前タイミングの他に、排出直前タイミングでも強制移動処理を実施する。この強制移動処理を特に減圧処理と称することは既に述べた通りであるが、第１強制移動処理による減圧処理を特に第１減圧処理という。また、第２強制移動処理による減圧処理を特に第２減圧処理という。
【００６１】
先に図７に示したように第１凸部５０ｂで２次転写ローラ３０を押し下げている状態（９０°の回転角度位置）は、第１凸部５０ｂを被突き当て部としての第１空転コロ３４の周面に突き当てた第２状態である。２次転写ローラ３０を押し下げていない状態から、図示の第２状態にする方法は２通りある。
【００６２】
１つ目の方法は、図６の状態から、第１回転カムを９０［°］正回転させて、図７の第２状態にする方法である。回転カムを正回転させるので、第１強制移動処理による方法である。このときの第１強制移動処理では、第１回転カム５０において、第１凸部５０ｂに対して上流側小径部として機能している第２小径部５０ｃを第１空転コロ３４に非接触で対向させている第１状態から、第１回転カム５０の正回転駆動により、第１回転カム５０の第１凸部５０ｂを第１空転コロ３４に突き当てた第２状態に変化させている。
【００６３】
また、２つ目の方法は、図８の状態から、第１回転カムを９０［°］逆回転させて、図７の第２状態にする方法である。回転カムを逆回転させるので、第２強制移動処理による方法である。このときの第２強制移動処理では、第１回転カム５０において、第１凸部５０ｂに対して下流側小径部として機能している第１小径部５０ａを第１空転コロ３４に非接触で対向させている第３状態から、第１回転カム５０の逆回転駆動により、第１回転カム５０の第１凸部５０ｂを第１空転コロ３４に突き当てた第２状態に変化させている。
【００６４】
制御部は、図７の第２状態にする強制移動処理については、図６の状態から、第１回転カム５０の９０［°］の正回転によって図７の第２状態にする第１強制移動処理と、図８の状態から、第１回転カム５０の９０［°］の逆回転によって図７の第２状態にする第２強制移動処理とを交互に実施するようになっている。より詳しくは、まず、強制移動処理に先立って、現状が、図６の状態、図８の状態の何れであるのかを確認する。そして、図６の状態である場合、即ち、第１凸部５０ｂに対して第１状態である場合、には、上述した進入前タイミングでカム９０°正回転による第１強制移動処理を実施して、図７の第２状態にする。その後、シート先端が中間転写ベルト２１と２次転写ローラ３０との間に進入して進入直後タイミングが到来すると、第１回転カム５０を９０［°］正回転させて、第１凸部５０ｂに対して下流側小径部として機能している第１小径部５０ａを第１空転コロ３４に非接触で対向させる第３状態である図８の状態にする。そして、記録シートの後端が中間転写ベルト２１と２次転写ローラ３０との間を抜ける直前のタイミングである排出直前タイミングが到来すると、カム９０°逆回転による第２強制移動処理（＝第２減圧処理）を実施して、図７の第２状態にする。このようにして、第１強制移動処理と第２強制移動処理とを交互に行うようになっている。
【００６５】
一方、強制移動処理を実施する前の状態が、図８の状態である場合、即ち、第１凸部５０ｂに対して第３状態である場合、には、上述した進入前タイミングでカム９０°逆回転による第２強制移動処理を実施して、図７の第２状態にする。その後、シート先端が中間転写ベルト２１と２次転写ローラ３０との間に進入して進入直後タイミングが到来すると、第１回転カム５０を９０［°］逆回転させて、第１凸部５０ｂに対して上流側小径部として機能している第２小径部５０ｃを第１空転コロ３４に非接触で対向させる第１状態である図６の状態にする。そして、排出直前タイミングが到来すると、カム９０°正回転による第１強制移動処理（＝第１減圧処理）を実施して、図７の第２状態にする。このようにして、第１強制移動処理と第２強制移動処理とを交互に行うようになっている。
【００６６】
図１１は、連続プリントモードにおいて、第１凸部による強制移動処理と、増圧処理と、第１凸部による減圧処理とを複数の記録シートにそれぞれ施す場合における各種タイミングを示すタイミングチャートである。図示のように、これまで説明してきた動作を適宜実施することで、連続プリントモードにおいても、第１凸部に対して第１強制移動処理と第２強制移動処理とを交互に行うことが可能である。後述する第２凸部による強制移動処理でも同様にして、連続プリントモードにおける交互処理が可能である。
【００６７】
なお、同図において、記録シートの先端からトナー画像先端まで、つまり、先端白抜け幅は、４［ｍｍ］程度しかない。このため、高速でのカム回転が要求されることになる。
【００６８】
本複写機においては、図７に示した状態の他、図９に示した状態も、第２状態となっている。第２凸部５０ｄを被突き当て部としての第１空転コロ３４の周面に突き当てている状態だからである。２次転写ローラ３０を押し下げていない状態から、図９に示した第２状態にする方法も２通りある。
【００６９】
１つ目の方法は、図８の状態から、第１回転カムを９０［°］正回転させて、図９の第２状態にする方法である。回転カムを正回転させるので、第１強制移動処理による方法である。このときの第１強制移動処理では、第１回転カム５０において、第２凸部５０ｄに対して上流側小径部として機能している第１小径部５０ａを第１空転コロ３４に非接触で対向させている第１状態から、第１回転カム５０の正回転駆動により、第１回転カム５０の第２凸部５０ｄを第１空転コロ３４に突き当てた第２状態に変化させている。
【００７０】
また、２つ目の方法は、図６の状態から、第１回転カムを９０［°］逆回転させて、図９の第２状態にする方法である。回転カムを逆回転させるので、第２強制移動処理による方法である。このときの第２強制移動処理では、第１回転カム５０において、第２凸部５０ｄに対して下流側小径部として機能している第２小径部５０ｃを第１空転コロ３４に非接触で対向させている第３状態から、第１回転カム５０の逆回転駆動により、第１回転カム５０の第２凸部５０ｄを第１空転コロ３４に突き当てた第２状態に変化させている。
【００７１】
制御部は、図９の第２状態にする強制移動処理については、図８の状態から、第１回転カム５０の９０［°］の正回転によって図９の第２状態にする第１強制移動処理と、図６の状態から、第１回転カム５０の９０［°］の逆回転によって図９の第２状態にする第２強制移動処理とを交互に実施するようになっている。より詳しくは、まず、強制移動処理に先立って、現状が、図８の状態、図６の状態の何れであるのかを確認する。そして、図８の状態である場合、即ち、第２凸部５０ｄに対して第１状態である場合、には、上述した進入前タイミングでカム９０°正回転による第１強制移動処理を実施して、図９の第２状態にする。その後、進入直後タイミングが到来すると、第１回転カム５０を９０［°］正回転させて、第２凸部５０ｄに対して下流側小径部として機能している第２小径部５０ｃを第１空転コロ３４に非接触で対向させる第３状態である図６の状態にする。そして、排出直前タイミングが到来すると、カム９０°逆回転による第２強制移動処理（＝第２減圧処理）を実施して、図９の第２状態にする。このようにして、第１強制移動処理と第２強制移動処理とを交互に行うようになっている。
【００７２】
一方、図９の状態にする前の状態が、図６の状態である場合、即ち、第２凸部５０ｄに対して第３状態である場合、には、進入前タイミングでカム９０°逆回転による第２強制移動処理を実施して、図９の第２状態にする。その後、進入直後タイミングが到来すると、第１回転カム５０を９０［°］逆回転させて、第２凸部５０ｄに対して上流側小径部として機能している第１小径部５０ａを第１空転コロ３４に非接触で対向させる第１状態である図８の状態にする。そして、排出直前タイミングが到来すると、カム９０°正回転による第１強制移動処理（＝第１減圧処理）を実施して、図９の第２状態にする。このようにして、第１強制移動処理と第２強制移動処理とを交互に行うようになっている。
【００７３】
先に示した図５において、回転カム（５０、５１）は、強制移動処理と増圧処理とのうち、主に強制移動処理で第１凸部（５０ｂ，５１ｂ）や第２凸部（５０ｄ，５１ｄ）を摩耗する。増圧処理における凸部の摩耗はごく僅かである。付勢コイルバネの付勢力に抗して凸部で空転コロを押し込むときに、凸部が摩耗するのに対し、付勢コイルバネの付勢力に沿って凸部を後退させるときには、凸部がそれほど強く擦られないからである。
【００７４】
第１凸部５０ｂ，５１ｂを回転カムの正回転によって空転コロ（３４，３５）に突き当てる第１強制移動処理を行う場合、第１凸部５０ｂ，５１ｂのうち、主に、正回転方向の上流側半分の領域（領域Ａ１）を摩耗する。これに対し、第１凸部５０ｂ，５１ｂを回転カムの逆回転によって空転コロ（３４，３５）に突き当てる第２強制移動処理を行う場合、第１凸部５０ｂ，５１ｂのうち、主に、正回転方向の下流側半分の領域（領域Ａ２）を摩耗する。本複写機においては、強制移動処理として、回転カム（５０，５１）を正回転させる第１強制移動処理と、逆回転させる第２強制移動処理とを交互に切り替えることで、第１凸部５０ｂ，５１ｂの摩耗領域を、領域Ａ１と領域Ａ２とに散らす。これにより、回転カム（５０，５１）の長寿命化を図ることができる。また、第２凸部５０ｄ，５１ｄについても、同様にして、摩耗領域を領域Ａ３と領域Ａ４とに散らすことで、回転カム（５０，５１）の長寿命化を図ることができる。
【００７５】
本発明者らは、実施形態に係る複写機と同様の構成の複写試験機を用意した。そして、この複写試験機により、次のような第１プリントテストを行った。即ち、記録シートに対して所定のテスト画像を出力した。進入直前タイミングで実施する強制移動処理や、排出直前タイミングで実施する強制移動処理（減圧処理）においては、回転カム（５０，５１）の第１凸部（５０ｂ，５１ｂ）を空転コロ（３４，３５）に突き当てて、２次転写ローラ３０を１［ｍｍ］押し下げた。記録シートとしては、坪量＝１６０［ｇ／ｍ２］、厚み＝約１６０［μｍ］の厚紙Ｐ２と、坪量＝３００［ｇ／ｍ２］、厚み＝約３２０［μｍ］の超厚紙Ｐ３とを用いた。プリントジョブ中には、中間転写ベルト２１の速度を光学イメージセンサによって測定した。
【００７６】
図１２は、第１プリントテストにおける中間転写ベルト２１の速度変動率と経過時間との関係を示すグラフである。厚紙Ｐ２、超厚紙Ｐ３の何れを用いた場合にも、シート進入時点（シート先端が２次転写位置に進入する時点）に先立って、強制移動処理による２次転写ローラ３０の押し下げを実施したことで、シート進入時点におけるベルト速度変動をほぼ解消することができた。しかしながら、厚紙Ｐ２を用いた場合には、シート進入時点の直後に、大きなベルト速度変動を発生させている。これは、進入直後タイミングで実施した増圧処理において、２次転写ローラ３０の押し下げを一気に解除したことにより、中間転写ベルト２１に対して負荷を急激に増大させたからである。押し下げを少しずつ解除するように、回転カムをゆっくりと回転させれば、そのベルト速度変動を抑えることは可能であるが、そうすると、シート先端付近における転写圧を不足させてしまう。このため、減圧処理において、回転カムをゆっくりと回転させることは避けた方が望ましい。
【００７７】
超厚紙Ｐ３を用いた場合において、増圧処理時にそれほど大きなベルト速度変動を発生させていないのは、次に説明する理由による。即ち、超厚紙Ｐ３を用いた場合、２次転写ローラ３０の押し下げを一気に解除しても、超厚紙Ｐ３の厚みがかなり大きいことから、２次転写ローラ３０はごく僅かな距離しかバネ付勢方向に戻らない。このため、中間転写ベルト２１に対する急激な負荷増加が発生しないのである。
【００７８】
なお、増圧処理を省略した他は、同様の条件にしてテストプリントを行ったところ、十分な画像濃度が得られなかった。
【００７９】
次に、本発明者らは、２次転写ローラ３０の押し下げ量を０．７［ｍｍ］に減少させた他は、第１プリントテストと同様の条件にした第２プリントテストを行った。図１３は、第２プリントテストにおける中間転写ベルト２１の速度変動率と経過時間との関係を示すグラフである。厚紙Ｐ２、超厚紙Ｐ３の何れを用いた場合にも、増圧処理を実施した瞬間におけるベルト速度変動はそれほど発生していない。しかし、超厚紙Ｐ３を用いた場合には、シート進入時点において大きなベルト速度変動を引き起こしている。超厚紙Ｐ３の場合、押し上げ量０．７［ｍｍ］では、ショックジターを十分に抑えることができなかったのである。
【００８０】
なお、増圧処理を省略した他は、同様の条件にしてテストプリントを行ったところ、許容範囲ではあるものの、僅かながら画像濃度の低下が認められた。
【００８１】
以上のことから、厚紙Ｐ２と、超厚紙Ｐ３とでは、押し下げ量の適正値が異なることがわかった。
そこで、本複写機においては、２次転写ニップに供給される記録シートの厚み情報を取得する厚み情報取得手段を設けている。厚み情報取得手段としては、給紙路９９内を搬送される記録シートの厚みを実際に検知する厚み検知センサを用いてもよいし、操作者からの厚み情報のデータ入力を受け付けるデータ入力手段を用いてもよい。また、厚み検知センサとしては、厚み方向の光透過率を検知する光学センサや、搬送ローラ対に記録シートを挟み込んだときのローラ移動量を検知するセンサなどを例示することができる。
【００８２】
制御部は、厚み情報取得手段による取得結果に応じて、２次転写ローラ３０の押し下げ量を調整する。具体的には、制御部におけるＲＯＭ等のデータ記憶手段には、記録シートの厚みと、それに対応する回転カムの回転角度位置（押し下げ位置）とを関係付けたデータテーブルを記憶させている。そして、記録シートの厚みに対応する回転角度位置をデータテーブルから特定し、進入前の強制移動処理や減圧処理において特定結果の位置まで回転カムを回転させるようになっている。かかる構成では、記録シートの厚みに応じて押し下げ量を適切に設定することで、シート進入時のショックジターと、進入直後の増圧処理実施時のベルト速度変動と、シート排出時のベルト速度変動とを何れも良好に抑えることができる。
【００８３】
なお、上述のデータテーブルは、普通紙Ｐ１の厚みに範囲に対しては、回転角度位置として、０［°］及び１８０［°］の２つを関連付けている。よって、普通紙Ｐ１の場合には、シート進入時の強制移動処理、増圧処理及び減圧処理は実施されない。厚みの比較的薄い普通紙Ｐ１では、２次転写ローラ３０の押し下げを実施しなくても、２次転写ニップ進入時のベルトや２次転写ローラ３０に対する大きな負荷変動が生じないからである。また、データテーブルは、厚紙Ｐ２の厚み範囲に対しては、回転角度位置として、２７０［°］を関連付けている。また、超厚紙Ｐ３の厚み範囲に対しては、回転角度位置として、９０［°］を関連付けている。
【００８４】
また、貫通軸部材２４ａの回転停止位置については、上述したように、光学センサ６０が被検知円盤５９の被検部５９ａを検知したタイミングや、タイミングからのカム駆動モータ５８であるステッピングモータの駆動量に基づいて、把握するように制御部を構成している。
【００８５】
図１４は、本複写機において、厚紙Ｐ２を用いる場合の進入前タイミングにおける２次転写位置の状態を示す拡大側面図である。図示のように厚紙Ｐ２を用いる場合には、進入前タイミングにおける強制移動処理として、第１回転カム５０の第２凸部５０ｄを第１空転コロ３４に突き当てる処理を実施する。これにより、シート進入時点でのショックジターの発生を抑える。
【００８６】
図１５は、厚紙Ｐ２を用いる場合の進入直後タイミングにおける２次転写位置の状態の一例を示す拡大側面図である。進入直後タイミングで増圧処理を実施して２次転写ローラ３０の押し下げを一気に解除しても、その直前の押し下げ量が第２凸部５０ｄによるもので、厚紙Ｐ２に適した押し下げ量であるので、押し下げ解除に伴うベルト速度変動の発生を抑えることができる。なお、同図では、第２小径部５０ｃを第１空転コロ３４との対向領域に位置させる例を示したが、第１小径部５０ａを第１空転コロ３４との対向領域に位置させる場合もある。
【００８７】
図１６は、厚紙Ｐ２を用いる場合の排出直前タイミングにおける２次転写位置の状態の一例を示す拡大側面図である。図示のように厚紙Ｐ２を用いる場合には、排出直前タイミングにおける減圧処理として、第１回転カム５０の第２凸部５０ｄを第１空転コロ３４に突き当てる処理を実施する。これにより、シート排出時のベルト速度変動の発生を抑えることができる。なお、同図では、第２小径部５０ｃを第１空転コロ３４との対向領域に位置させる例を示したが、第１小径部５０ａを第１空転コロ３４との対向領域に位置させる場合もある。
【００８８】
超厚紙Ｐ３を用いる場合には、第２凸部５０ｄによる押し下げの代わりに、第１凸部５０ｂによる押し下げを行う。
【００８９】
２次転写対向ローラ２４の回転カム（５０，５１）を２次転写ローラ３０の空転コロ（３４，３５）に突き当てているときに、その突き当て部を通じて前者のローラから後者のローラへ２次転写電流をリークさせてしまうと、２次転写ニップ内で適切な強度の２次転写電界を形成することができなくなる。そこで、回転カムと空転コロとのうち、少なくとも何れか一方については、絶縁性材料で構成することが望ましい。本複写機では、回転カム（５０，５１）として、絶縁性材料であるポリアセタール樹脂からなるものを用いることで、前述のリークの発生を防止している。
【００９０】
空転コロ（３４，３５）については、樹脂で構成しても良いが、回転カム（５０，５１）から押圧されても変形しないように、剛性の高い材料で構成することが望ましい。そこで、本複写機では、空転コロとして、金属製の玉軸受けからなるものを用いている。このような空転コロは、回転カムの押圧によっても変形せず、２次転写ローラ３０の回転位置精度に影響を与えることがない。また、摺動性に優れているので、回転カムの磨耗を低減することができる。
【００９１】
図１７は、実施形態に係る複写機の変形例における２次転写位置の周囲を示す拡大構成図である。変形例に係る複写機においては、第１回転カム５０，第２回転カム５１を、２次転写対向ローラ２４の貫通軸部材２４ａではなく、専用の回転軸部材に設けている。そして、その第１回転カム５０，第２回転カム５１を、連動体としてのローラユニット保持体４０に設けられた被突き当て部４０ｂに突き当てることで、２次転写ローラ３０の押し下げを行うようになっている。このように、空転コロではなく、付勢コイルバネ４５の付勢による移動を２次転写ローラ３０と連動させる他の連動体に対して、回転カムを突き当てるようにしてもよい。また、２次転写ローラ３０そのものに対して回転カムを突き当てるようにしてもよい。
【００９２】
これまで、像担持体として、回転可能な２次転写対向ローラ２４に掛け回されて無端移動せしめられる無端ベルト状の中間転写ベルト２１を用いた複写機について説明した。しかし、他の像担持体と当接体との組合せにおいても、本発明の適用が可能である。
【００９３】
また、当接体を像担持体に付勢する代わりに、像担持体を当接体に付勢し、回転カムによって像担持体を押し下げるようにしてもよい。また、回転カムの小径部を空転コロに対向させて押し下げを解除する例について説明したが、小径部により、凸部よりも小さな押し下げ量で２次転写ローラを押し下げるようにしてもよい。
【００９４】
以上、実施形態に係る複写機においては、回転カム（５０，５１）が、小径部として、凸部に対して該回転カムの正回転方向の上流側で隣り合う上流側小径部と、下流側で隣り合う下流側小径部とを有するものであり、制御部が、回転カムの上流側小径部を空転コロ周面（被突き当て部）に非接触で対向させる状態である第１状態から、回転カムの正回転駆動により、回転カムの凸部を空転コロ周面に突き当てた状態である第２状態に変化させる処理を実施する一方で、第２強制移動処理として、回転カムの下流側小径部を空転コロ周面に非接触で対向させる状態である第３状態から、回転カムの逆回転駆動により、第２状態に変化させる処理を実施するようになっている。このように、第１強制移動処理と第２強制移動処理とを互いに異ならせることで、両者の交互切り換えを可能にすることができる。
【００９５】
また、実施形態に係る複写機においては、制御部が、進入前タイミングに加えて、記録シートの後端を２次転写位置から排出する直前の排出直前タイミングでも、強制移動処理を実施するようになっている。かかる構成では、既に説明したように、排出直前で転写圧を減圧せしめて、排出時点におけるベルト速度変動の発生を抑えることができる。
【００９６】
また、実施形態に係る複写機においては、制御部が、増圧処理として、第２状態から、回転カムの正回転駆動によって第３状態に変化させる第１増圧処理と、第２状態から、回転カムの逆回転駆動によって第１状態に変化させる第２増圧処理とを、所定のタイミングで切り替えて実施するようになっている。より詳しくは、それらを交互に実施するように切り替える。このような切り換えにより、第１強制移動処理と第２強制移動処理との切り換えを可能にすることができる。
【００９７】
また、実施形態に係る複写機においては、２次転写位置に送られる前の記録シートの厚み情報を取得する厚み情報取得手段を備えるとともに、互いに軌道の半径が異なる第１凸部（５０ｂ，５１ｂ）と、第２凸部（５０ｄ，５１ｄ）とを回転カム（５０，５１）に具備している。そして、制御部が、厚み情報取得手段による検知結果に応じて、２つの凸部の中から、強制移動処理で空転コロ周面に突き当てるものを選択する処理を実施するようになっている。かかる構成では、既に説明したように、記録シートの厚みに応じて押し下げ量を適切に設定して、進入前タイミングにおけるショックジターと、増圧処理実施時のベルト速度変動と、排出時のベルト速度変動とをそれぞれ良好に抑えることができる。
【００９８】
また、実施形態に係る複写機においては、回転カム（５０，５１）について、所定の回転角度位置になったことを検知する被検知円盤５９、光学センサ６０等からなる所定角度位置検知手段を備えている。そして、制御部が、強制移動処理にて、所定回転角度位置検知手段による検知結果に基づいて回転カム（５０，５１）の駆動源であるカム駆動モータ５８の回転駆動を停止させるようになっている。かかる構成では、回転カムを確実に所望の回転角度位置で停止させることができる。
【００９９】
なお、回転カムの回転駆動源であるカム駆動モータ５８としては、ステッピングモータを用いている。これにより、回転カムの回転停止を精度良く行うことができる。
【符号の説明】
【０１００】
２０：転写ユニット（転写手段）
２１：中間転写ベルト（像担持体）
３０：２次転写ローラ（当接体）
３４：第１空転コロ（被突き当て部を具備する連動体）
３５：第２空転コロ（被突き当て部を具備する連動体）
４５：付勢コイルバネ（付勢手段）
５０：第１回転カム
５０ａ：第１小径部
５０ｂ：第１凸部
５０ｃ：第２小径部
５０ｄ：第２凸部
５１：第２回転カム
５１ａ：第１小径部
５１ｂ：第１凸部
５１ｃ：第２小径部
５１ｄ：第２凸部
【先行技術文献】
【特許文献】
【０１０１】
【特許文献１】特開平１０−８３１２４号公報
【特許文献２】特開平６−２７４０５１号公報
【図１】
2010204259.tif 000003
【図２】
2010204259.tif 000004
【図３】
2010204259.tif 000005
【図４】
2010204259.tif 000006
【図５】
2010204259.tif 000007
【図６】
2010204259.tif 000008
【図７】
2010204259.tif 000009
【図８】
2010204259.tif 000010
【図９】
2010204259.tif 000011
【図１０】
2010204259.tif 000012
【図１１】
2010204259.tif 000013
【図１２】
2010204259.tif 000014
【図１３】
2010204259.tif 000015
【図１４】
2010204259.tif 000016
【図１５】
2010204259.tif 000017
【図１６】
2010204259.tif 000018
【図１７】
2010204259.tif 000019